(57)【要約】【課題】２極コンセント口毎にそれがノイズの中継所になることを防止でき、したがって現実の使用に即した、構造が簡単で安価なコンセントを提供する。【解決手段】２極コンセント口とこれに対応してアース口とを備えるコンセントにおいて、２極コンセント口毎にスイッチを設け、このスイッチの操作によって、２極コンセント口毎にアース口と筐体アースとの間の接続又は切断を選択し得るようにした。【選択図】          図４
2004171863.tif 000002
【特許請求の範囲】
【請求項１】
一つの２極コンセント口とこれに対応して一つのアース口とを備えるコンセントにおいて、アース口と筐体アースとの間のアース線途中にスイッチが介装されており、スイッチの操作によって、アース口と筐体アースとの間の接続又は切断を選択し得るようにして成ることを特徴とするコンセント。
【請求項２】
複数の２極コンセント口とこれらに対応して各２極コンセント口毎にそれぞれ一つのアース口とを備えるコンセントにおいて、各２極コンセント口毎にアース口と筐体アースとの間のアース線途中にスイッチが介装されており、各２極コンセント口毎のスイッチの操作によって、各２極コンセント口毎にアース口と筐体アースとの間の接続又は切断を選択し得るようにして成ることを特徴とするコンセント。
【請求項３】
一つの２極コンセント口とこれに対応して一つのアース口とを備えるコンセントにおいて、アース口と筐体アースとの間のアース線途中にスイッチが介装されており、また２極コンセント口はコンデンサを介して前記スイッチへと接続されていて、更に２極コンセント口への給電線途中にコイルが介装され、スイッチの操作によって、アース口と筐体アースとの間の接続又は切断を選択し、またコンデンサを介しての２極コンセント口とアース口との間の接続又は切断を選択し得るようにして成ることを特徴とするコンセント。
【請求項４】
複数の２極コンセント口とこれらに対応して各２極コンセント口毎にそれぞれ一つのアース口とを備えるコンセントにおいて、各２極コンセント口毎にアース口と筐体アースとの間のアース線途中にスイッチが介装されており、また各２極コンセント口はコンデンサを介して対応する前記スイッチへと接続されていて、更に各２極コンセント口毎に２極コンセント口への給電線途中にコイルが介装され、各２極コンセント口毎のスイッチの操作によって、各２極コンセント口毎にアース口と筐体アースとの間の接続又は切断を選択し、またコンデンサを介しての２極コンセント口とアース口との間の接続又は切断を選択し得るようにして成ることを特徴とするコンセント。
【発明の詳細な説明】
【０００１】
【発明の属する技術分野】
本発明はコンセントに関し、更に詳しくは２極コンセント口とこれに対応してアース口とを備えるコンセントの改良に関する。コンセントとして、例えば壁コンセントのように、一つの２極コンセント口とこれに対応して一つのアース口とを備えるものや、例えばテーブルタップのように、二つ以上の複数の２極コンセント口とこれらに対応して各２極コンセント口毎にそれぞれ一つのアース口とを備えるものが使用されている。前記のような壁コンセントの場合、一つの壁コンセントのアース口と他の壁コンセントのアース口とは共通のアース線で接続されていることが多く、また前記のようなテーブルタップの場合、各アース口は共通の筐体アース（コンセントの取付け金具）に接続されている。これらのアース線や筐体アースに適切な接地が施されている場合には問題が少ないが、現実にはそのような接地の施されていない場合が多く、このような場合、それらは単にアースとして機能しないだけでなく、一つの２極コンセント口に接続した負荷機器からのノイズを他の２極コンセント口に接続した負荷機器へ伝達するいわば中継所になっている。本発明はかかるノイズの中継所になることを防止したコンセントに関する。
【０００２】
【従来の技術】
従来、前記のようなノイズの中継所になることを防止したコンセントとして、ノイズフィルタやノイズダンパを付設したコンセントが知られている（例えば特許文献１〜４参照）。しかし、これら従来のコンセントには、ノイズフィルタやノイズダンパを付設するため、それだけ構造が複雑であり、高価であるという問題があり、またコンセントに接続した負荷機器から還流してくるノイズをコンセント全体で一括して消去乃至遮断するものであるため、コンセントの現実の使用にそぐわないという問題がある。例えば、一つの２極コンセント口にパワーアンプを接続し、他の２極コンセント口にＣＤプレーヤを接続する場合、パワーアンプを接続した２極コンセント口においては、パワーアンプから還流してくる大きなノイズ、特に整流ノイズがＣＤプレーヤに悪影響を及ぼすのを防止する必要はあるが、ＣＤプレーヤに接続した２極コンセント口においては、ＣＤプレーヤから還流してくる微小なノイズは殆ど無視できるので、かかるノイズがパワーアンプに悪影響を及ぼすことを考慮する必要はないのである。
【０００３】
【特許文献１】
特開平５−２０５８２５号公報
【特許文献２】
特開平５−２６６９５０号公報
【特許文献３】
特開平６−２５１８３１号公報
【特許文献４】
特開平９−６３７０８号公報
【０００４】
【発明が解決しようとする課題】
本発明が解決しようとする課題は、２極コンセント口毎にそれがノイズの中継所になることを防止でき、したがって現実の使用に即した、構造が簡単で安価なコンセントを提供する処にある。
【０００５】
【課題を解決するための手段】
前記の課題を解決する請求項１の本発明に係るコンセントは、一つの２極コンセント口とこれに対応して一つのアース口とを備えるコンセントにおいて、アース口と筐体アースとの間のアース線途中にスイッチが介装されており、スイッチの操作によって、アース口と筐体アースとの間の接続又は切断を選択し得るようにして成ることを特徴とする。
【０００６】
また請求項２の本発明に係るコンセントは、複数の２極コンセント口とこれらに対応して各２極コンセント口毎にそれぞれ一つのアース口とを備えるコンセントにおいて、各２極コンセント口毎にアース口と筐体アースとの間のアース線途中にスイッチが介装されており、各２極コンセント口毎のスイッチの操作によって、各２極コンセント口毎にアース口と筐体アースとの間の接続又は切断を選択し得るようにして成ることを特徴とする。
【０００７】
更に請求項３の本発明に係るコンセントは、一つの２極コンセント口とこれに対応して一つのアース口とを備えるコンセントにおいて、アース口と筐体アースとの間のアース線途中にスイッチが介装されており、また２極コンセント口はコンデンサを介して前記スイッチへと接続されていて、更に２極コンセント口への給電線途中にコイルが介装され、スイッチの操作によって、アース口と筐体アースとの間の接続又は切断を選択し、またコンデンサを介しての２極コンセント口とアース口との間の接続又は切断を選択し得るようにして成ることを特徴とする。
【０００８】
更にまた請求項４の本発明に係るコンセントは、複数の２極コンセント口とこれらに対応して各２極コンセント口毎にそれぞれ一つのアース口とを備えるコンセントにおいて、各２極コンセント口毎にアース口と筐体アースとの間のアース線途中にスイッチが介装されており、また各２極コンセント口はコンデンサを介して対応する前記スイッチへと接続されていて、更に各２極コンセント口毎に２極コンセント口への給電線途中にコイルが介装され、各２極コンセント口毎のスイッチの操作によって、各２極コンセント口毎にアース口と筐体アースとの間の接続又は切断を選択し、またコンデンサを介しての２極コンセント口とアース口との間の接続又は切断を選択し得るようにして成ることを特徴とする。
【０００９】
以下、図面に基づき本発明に係るコンセントについて詳細に説明するが、請求項１及び２の本発明に係るコンセントによると、各２極コンセント口に接続した負荷機器間で所謂コモンモードノイズによる悪影響が及ぼし合うのを防止でき、また請求項３及び４の本発明に係るコンセントによると、各２極コンセント口に接続した負荷機器間で所謂コモンモードノイズによる悪影響が及ぼし合うのを防止できると共に、所謂ノーマルモードノイズによる悪影響が及ぼし合うのも防止できる。
【００１０】
【発明の実施の形態】
図１は請求項１の本発明に係るコンセントを略示する回路図である。図１に略示したコンセントは、一つの２極コンセント口１１ａ，１１ｂとこれに対応して一つのアース口２１とを備えている。２極コンセント口１１ａ，１１ｂに図示しない商用電源へと接続される給電線３１ａ，３１ｂが接続されていることはいうまでもないが、アース口２１と筐体アース４１とはアース線５１によって直結されておらず、アース線５１の途中にスイッチ６１が介装されている。スイッチ６１は一つの入側端子６１ａと、一つの出側端子６１ｂと、一つの自由端子６１ｃと、入側端子６１ａに取付けられた可動部材６１ｅとを備え、出側端子６１ｂは筐体アース４１に接続されている。図１では可動部材６１ｅは自由端子６１ｃに当接しており、したがってアース口２１と筐体アース４１との間は切断されている状態を示しているが、スイッチ６１の操作によって、アース口２１と筐体アース４１との間の接続又は切断を選択し得るようになっている。
【００１１】
図１に略示したコンセントを例えば壁コンセントとして用い、一つの壁コンセントにパワーアンプを接続し、同様の他の壁コンセントにＣＤプレーヤを接続する場合、パワーアンプを接続した壁コンセントでは、スイッチの操作によって、そのアース口と筐体アースとの間を切断し（可動部材６１ｅを自由端子６１ｃに当接させた図１の状態）、またＣＤプレーヤを接続した壁コンセントでは、スイッチの操作によって、そのアース口と筐体アースとの間を接続すると（可動部材６１ｅを出側端子６１ｂに当接させた状態）、パワーアンプからパワーアンプと壁コンセントとの間のアース線を介して壁コンセントのアース口へと還流してくるノイズ、所謂コモンモードノイズはその壁コンセントの限りで遮断され、双方の壁コンセント間のアース線を介して他の壁コンセントのアース口へと伝達することはないので、他の壁コンセントに接続したＣＤプレーヤに悪影響を及ぼすことはない。
【００１２】
図２は請求項２の本発明に係るコンセントを略示する回路図である。図２に略示したコンセントは、合計三つの２極コンセント口１２ａ，１２ｂ，１３ａ，１３ｂ，１４ａ，１４ｂとこれらに対応して各２極コンセント口毎にそれぞれ一つのアース口２２〜２４とを備えている。各２極コンセント口に図示しない商用電源へと接続される給電線３２ａ，３２ｂが接続されていることはいうまでもないが、アース口２２〜２４とこれらに共通の筐体アース４２とはアース線５２〜５４によって直結されておらず、アース線５２〜５４の途中にスイッチ６２〜６４が介装されている。スイッチ６２〜６４は一つの入側端子６２ａ〜６４ａと、一つの出側端子６２ｂ〜６４ｂと、一つの自由端子６２ｃ〜６４ｃと、入側端子６２ａ〜６４ａに取付けられた可動部材６２ｅ〜６４ｅとを備え、出側端子６２ｂ〜６４ｂはこれらに共通の筐体アース４２に接続されている。図２では可動部材６２ｅは自由端子６２ｃに当接しており、また可動部材６３ｅ，６４ｅは出側端子６３ｂ，６４ｂに当接していて、したがってアース口２２と筐体アース４２との間は切断されており、またアース口２３，２４と筐体アース４２との間は接続されている状態を示しているが、スイッチ６２〜６４の操作によって、アース口２２〜２４とこれらに共通の筐体アース４２との間の接続又は切断を選択し得るようになっている。
【００１３】
図２に略示したコンセントを例えばテーブルタップとして用い、一つの２極コンセント口１２ａ，１２ｂ及びアース口２２にパワーアンプを接続し、また他の一つの２極コンセント口１３ａ，１３ｂ及びアース口２３にＣＤプレーヤを接続して、更に他の一つの２極コンセント口１４ａ，１４ｂ及びアース口２４にパーソナルコンピュータを接続する場合、パワーアンプを接続した２極コンセント口１２ａ，１２ｂ及びアース口２２については、スイッチ６２の操作によって、そのアース口２２とテーブルタップに共通の筐体アース４２との間を切断し（可動部材６２ｅを自由端子６２ｃに当接させた図２の状態）、またＣＤプレーヤを接続した２極コンセント口１３ａ，１３ｂ及びアース口２３、並びにパーソナルコンピュータを接続した２極コンセント口１４ａ，１４ｂ及びアース口２４については、それぞれのスイッチ６３，６４の操作によって、それらのアース口２３，２４とテーブルタップに共通の筐体アース４２との間を接続すると（可動部材６３ｅ，６４ｅを出側端子６３ｂ，６４ｂに当接させた図２の状態）、パワーアンプからパワーアンプとアース口２２との間のアース線を介してアース口２２へと還流してくるノイズ、所謂コモンモードノイズはそのアース口２２の限りで遮断され、テーブルタップに共通の筐体アース４２を介して他のアース口２３，２４へと伝達することはないので、他の２極コンセント口１３ａ，１３ｂ，１４ａ，１４ｂ及びアース口２３，２４に接続したＣＤプレーヤやパーソナルコンピュータに悪影響を及ぼすことはない。
【００１４】
図３は請求項３の本発明に係るコンセントを略示する回路図である。図３に略示したコンセントは、図１に略示したコンセントと同様、一つの２極コンセント口１５ａ，１５ｂとこれに対応して一つのアース口２５とを備えている。２極コンセント口１５ａ，１５ｂに図示しない商用電源へと接続される給電線３３ａ，３３ｂが接続されていることはいうまでもないが、給電線３３ａ，３３ｂの途中にコイル７１ａ，７１ｂが介装されている。アース口２５と筐体アース４３とはアース線５５によって直結されておらず、アース線５５の途中にスイッチ６５が介装されている。スイッチ６５は一つの入側端子６５ａと、二つの出側端子６５ｂ，６５ｄと、一つの自由端子６５ｃと、入側端子６５ａに取付けられた可動部材６５ｅとを備えている。出側端子６５ｂは筐体アース４３に接続されており、出側端子６５ｄは配線８１ａ，８１ｂを介して２極コンセント口１５ａ，１５ｂへと接続されていて、配線８１ａ，８１ｂの途中にコンデンサ９１ａ，９１ｂが介装されている。図３では可動部材６５ｅは出側端子６５ｄに当接しており、したがってアース口２５と筐体アース４３との間は切断され、２極コンセント口１５ａ，１５ｂとアース口２５との間はコンデンサ９１ａ，９１ｂを介して接続されている状態を示しているが、スイッチ６５の操作によって、アース口２５と筐体アース４３との間の接続又は切断を選択し、またコンデンサ９１ａ，９１ｂを介しての２極コンセント口１５ａ，１５ｂとアース口２５との間の接続又は切断を選択し得るようになっている。
【００１５】
図３に略示したコンセントを例えば壁コンセントとして用い、一つの壁コンセントにパワーアンプを接続し、同様の他の壁コンセントにＣＤプレーヤを接続する場合、パワーアンプを接続した壁コンセントでは、スイッチの操作によって、そのアース口と筐体アースとの間を切断すると共にコンデンサを介する２極コンセント口とアース口との間を接続し（可動部材６５ｅを出側端子６５ｄに当接させた図３の状態）、またＣＤプレーヤを接続した壁コンセントでは、スイッチの操作によって、そのアース口と筐体アースとの間を接続すると共にコンデンサを介する２極コンセント口とアース口との間を切断すると（可動部材６５ｅを出側端子６５ｂに当接させた状態）、パワーアンプからパワーアンプと壁コンセントとの間のアース線を介して壁コンセントのアース口へと還流してくるノイズ、所謂コモンモードノイズはその壁コンセントの限りで遮断され、双方の壁コンセント間のアース線を介して他の壁コンセントのアース口へと伝達することはないので、他の壁コンセントに接続したＣＤプレーヤに悪影響を及ぼすことはない。しかもこの場合、パワーアンプからパワーアンプと壁コンセントとの間の給電線を介して壁コンセントの２極コンセント口へと還流してくるノイズ、所謂ノーマルモードノイズは、それが高周波ノイズであるという性質上、コイルによって遮られるため、コンデンサを介して出側端子に到り、更に可動部材、入側端子及びアース線を介してアース口へと到るが（可動部材６５ｅを出側端子６５ｄに当接させた図３の状態）、この間に相互に打ち消し合いつつその壁コンセントの限りで遮断され、双方の壁コンセント間の給電線やアース線を介して他の壁コンセントへと伝達することはないので、他の壁コンセントに接続したＣＤプレーヤに悪影響を及ぼすことはない。
【００１６】
図４は請求項４の本発明に係るコンセントを略示する回路図である。図４に略示したコンセントは、図２に略示したコンセントと同様、合計三つの２極コンセント口１６ａ，１６ｂ，１７ａ，１７ｂ，１８ａ，１８ｂとこれらに対応して各２極コンセント口毎にそれぞれ一つのアース口２６〜２８とを備えている。各２極コンセント口に図示しない商用電源へと接続される給電線３４ａ，３４ｂが接続されていることはいうまでもないが、各２極コンセント口毎で給電線３４ａ，３４ｂの途中にコイル７２ａ，７２ｂ，７３ａ，７３ｂ，７４ａ，７４ｂが介装されている。アース口２６〜２８とこれらに共通の筐体アース４４とはアース線５６〜５８によって直結されておらず、アース線５６〜５８の途中にスイッチ６６〜６８が介装されている。スイッチ６６〜６８は一つの入側端子６６ａ〜６８ａと、二つの出側端子６６ｂ，６６ｄ，６７ｂ，６７ｄ，６８ｂ，６８ｄと、一つの自由端子６６ｃ〜６８ｃと、入側端子６６ａ〜６８ａに取付けられた可動部材６６ｅ〜６８ｅとを備えている。出側端子６６ｂ〜６８ｂはこれらに共通の筐体アース４４に接続されており、出側端子６６ｄ〜６８ｄは配線８２ａ，８２ｂ，８３ａ，８３ｂ，８４ａ，８４ｂを介して各２極コンセント口へと接続されていて、これらの配線の途中にコンデンサ９２ａ，９２ｂ，９３ａ，９３ｂ，９４ａ，９４ｂが介装されている。図３では可動部材６６ｅは出側端子６６ｄに当接しており、また可動部材６７ｅ，６８ｅは出側端子６７ｂ，６８ｂに当接していて、したがってアース口２６と筐体アース４４との間は切断されると共に２極コンセント口１６ａ，１６ｂとアース口２６との間はコンデンサ９２ａ，９２ｂを介して接続されており、またアース口２７，２８と筐体アース４４との間は接続されている状態を示しているが、スイッチ６６〜６８の操作によって、アース口２６〜２８と筐体アース４４との間の接続又は切断を選択し、またコンデンサ９２ａ，９２ｂ，９３ａ，９３ｂ，９４ａ，９４ｂを介しての各２極コンセント口１６ａ，１６ｂ，１７ａ，１７ｂ，１８ａ，１８ｂとアース口２６〜２８との間の接続又は切断を選択し得るようになっている。
【００１７】
図４に略示したコンセントを例えばテーブルタップとして用い、一つの２極コンセント口１６ａ，１６ｂ及びアース口２６にパワーアンプを接続し、また他の一つの２極コンセント口１７ａ，１７ｂ及びアース口２７にＣＤプレーヤを接続して、更に他の一つの２極コンセント口１８ａ，１８ｂ及びアース口２８にパーソナルコンピュータを接続する場合、パワーアンプを接続した２極コンセント口１６ａ，１６ｂについては、スイッチ６６の操作によって、そのアース口２６とテーブルタップに共通のと筐体アース４４との間を切断すると共にコンデンサ９２ａ，９２ｂを介する２極コンセント口１６ａ，１６ｂとアース口２６との間を接続し（可動部材６６ｅを出側端子６６ｄに当接させた図４の状態）、またＣＤプレーヤを接続した２極コンセント口１７ａ，１７ｂ及びアース口２７、並びにパーソナルコンピュータを接続した２極コンセント口１８ａ，１８ｂ及びアース口２８については、それぞれのスイッチ６７，６８の操作によって、それらのアース口２７，２８とテーブルタップに共通の筐体アース４４との間を接続すると共にコンデンサ９３ａ，９３ｂ，９４ａ，９４ｂを介する各２極コンセント口１７ａ，１７ｂ，１８ａ，１８ｂとアース口２７，２８との間を切断すると（可動部材６７ｅ，６８ｅを出側端子６７ｂ，６８ｂに当接させた図４の状態）、パワーアンプからパワーアンプとアース口２６との間のアース線を介して２極コンセント口１６ａ，１６ｂのアース口２６へと還流してくるノイズ、所謂コモンモードノイズはそのアース口２６の限りで遮断され、テーブルタップに共通の筐体アース４４を介して他のアース口２７，２８へと伝達することはないので、他の２極コンセント口１７ａ，１７ｂ，１８ａ，１８ｂ及びアース口２７，２８に接続したＣＤプレーヤやパーソナルコンピュータに悪影響を及ぼすことはない。しかもこの場合、パワーアンプからパワーアンプと２極コンセント口１６ａ，１６ｂとの間の給電線を介して２極コンセント口１６ａ，１６ｂへと還流してくるノイズ、所謂ノーマルモードノイズは、それが高周波ノイズであるという性質上、コイル７２ａ，７２ｂによって遮られるため、コンデンサ９２ａ，９２ｂを介して出側端子６６ｄに到り、更に可動部材６６ｅ、入側端子６６ａ及びアース線５６を介してアース口２６へと到るが（可動部材６６ｅを出側端子６６ｄに当接させた図４の状態）、この間に相互に打ち消し合いつつその２極コンセント口１６ａ，１６ｂの限りで遮断され、各２極コンセント口間の給電線や筐体アースを介して他の２極コンセント口１７ａ，１７ｂ，１８ａ，１８ｂ及びアース口２７，２８へと伝達することはないので、他の２極コンセント口１７ａ，１７ｂ，１８ａ，１８ｂ及びアース口２７，２８に接続したＣＤプレーヤやパーソナルコンピュータに悪影響を及ぼすことはない。
【００１８】
【発明の効果】
既に明らかなように、以上説明した本発明には、２極コンセント口毎にそれがノイズの中継所になることを防止でき、したがって現実の使用に即した、構造が簡単で安価なコンセントを提供できるという効果がある。
【図面の簡単な説明】
【図１】本発明に係るコンセントの一実施形態を略示する回路図。
【図２】本発明に係るコンセントの他の一実施形態を略示する回路図。
【図３】本発明に係るコンセントの更に他の一実施形態を略示する回路図。
【図４】本発明に係るコンセントの更にまた他の一実施形態を略示する回路図。
【符号の説明】
１１ａ，１１ｂ〜１８ａ，１８ｂ・・２極コンセント口、２１〜２８・・アース口、３１ａ，３１ｂ〜３４ａ，３４ｂ・・給電線、４１〜４４・・筐体アース、５１〜５８・・アース線、６１〜６８・・スイッチ、７１ａ，７１ｂ〜７４ａ，７４ｂ・・コイル、８１ａ，８１ｂ〜８４ａ，８４ｂ・・配線、９１ａ，９１ｂ〜９４ａ，９４ｂ・・コンデンサ
【図１】
2004171863.tif 000003
【図２】
2004171863.tif 000004
【図３】
2004171863.tif 000005
【図４】
2004171863.tif 000006